(57)【特許請求の範囲】
【請求項１】
複数の電池セル（Ｖ１〜Ｖ１４）が直列に接続されて構成される組電池（１）の前記電池セル（Ｖ１〜Ｖ１４）の電圧を監視する電圧監視装置であって、
直列に接続された一対のキャパシタ（Ｃ１、Ｃ２）を有するキャパシタ回路（２３）と、
前記複数の電池セル（Ｖ１〜Ｖ１４）それぞれの電極端子に接続された複数の抵抗（Ｒ１〜Ｒ１５）を有するフィルタ回路（２１）と、
前記フィルタ回路（２１）を介して、前記複数の電池セル（Ｖ１〜Ｖ１４）の電極端子を、前記一対のキャパシタ（Ｃ１、Ｃ２）同士を接続する接点である接続端（Ａ３）、および前記一対のキャパシタ回路（Ｃ１、Ｃ２）における前記接続端（Ａ３）と反対側の独立端（Ａ１、Ａ２）に順次接続して前記電池セル（Ｖ１〜Ｖ１４）の電圧を前記キャパシタ（Ｃ１、Ｃ２）に印加する入力側接続切替手段（２２）と、
複数の入力端子（Ｂ１〜Ｂ３）を有し、前記複数の入力端子（Ｂ１〜Ｂ３）間の電位差を検出する電位差検出手段（２５）と、
前記一対のキャパシタ（Ｃ１、Ｃ２）における独立端（Ａ１、Ａ２）、および前記一対のキャパシタ（Ｃ１、Ｃ２）間の接続端（Ａ３）を、前記複数の入力端子に接続して前記一対のキャパシタ（Ｃ１、Ｃ２）のうち、少なくとも１つのキャパシタに蓄えられた蓄電電圧を前記電位差検出手段（２５）の前記入力端子（Ｂ１〜Ｂ３）に印加する出力側接続切替手段（２４）と、を備え、
前記複数の抵抗（Ｒ１〜Ｒ１５）のうち、前記入力側接続切替手段（２２）を介して、前記一対のキャパシタ（Ｃ１、Ｃ２）間の接続端（Ａ３）に接続される第１の抵抗群を構成する複数の抵抗全ては、前記一対のキャパシタ（Ｃ１、Ｃ２）における独立端（Ａ１、Ａ２）に接続される第２の抵抗群を構成する各抵抗よりも抵抗値が小さいことを特徴とする電圧監視装置。
【発明の詳細な説明】
【技術分野】
【０００１】
本発明は、複数の電池セルを直列接続して構成される組電池の各電池セルの電圧を複数のキャパシタを用いて監視するフライングキャパシタ方式の電圧監視装置に関する。
【背景技術】
【０００２】
従来、ハイブリッド自動車や電気自動車に搭載される車載高圧バッテリのように、多数個の電池セルを直列に接続して構成した組電池において、組電池を構成する各電池セルの電圧を監視する電圧監視装置として、キャパシタを利用する装置（フライングキャパシタ方式の電圧監視装置）が提案されている。
【０００３】
例えば、特許文献１には、直列接続された一対のキャパシタを用いて、組電池における隣接する２つの電池セルの電圧を並列に検出する電圧監視装置（ダブルフライングキャパシタ方式の電圧監視装置）が提案されている。
【０００４】
ここで、フライングキャパシタ方式の電圧監視装置では、組電池の各電池セルとキャパシタとの間にフィルタとして機能する抵抗が設けられており、キャパシタの容量と抵抗の抵抗値によって、キャパシタに電池セルの電圧を充電する際に要する時間（時定数）が変化することとなる。
【０００５】
この点、特許文献１に記載のダブルフライングキャパシタ方式の電圧監視装置では、一対のキャパシタを直列に接続しており、一対のキャパシタそれぞれに電池セルの電圧を充電する際には、キャパシタの容量が小さくなる。従って、一対のキャパシタを用いて電池セルの電圧を検出する際には、１つのキャパシタを用いて電池セルの電圧を検出する際よりも、キャパシタへの電池セルの電圧の充電に要する時間を短縮することが可能である。
【０００６】
また、ダブルフライングキャパシタ方式の電圧監視装置において、各キャパシタそれぞれに同じ電池セルの電圧を充電し、各キャパシタに充電された蓄電電圧を比較することで、各キャパシタと各電池セルとを結ぶ検出ラインの断線等を検出することも可能である。
【先行技術文献】
【特許文献】
【０００７】
【特許文献１】特開２００２−２８９２６３号公報
【発明の概要】
【発明が解決しようとする課題】
【０００８】
ところで、特許文献１に記載のダブルフライングキャパシタ方式の電圧監視装置では、一対のキャパシタを用いて電池セルの電圧を検出するだけでなく、一対のキャパシタのうち、一方のキャパシタだけを用いて電池セルの電圧を検出することがある。
【０００９】
例えば、一対のキャパシタを用いて電池セルの電圧を検出する際には、各キャパシタと各電池セルとを結ぶ複数のラインのうち、各キャパシタ間の接続端に接続された検出ラインに電流が流れず、当該検出ラインが断線したとしても断線を検出できないため、一対のキャパシタのうち、一方のキャパシタを用いて個別に電池セルの電圧を検出することがある。
【００１０】
しかし、ダブルフライングキャパシタ方式の電圧監視装置において、一対のキャパシタのうち、一方のキャパシタを用いて電池セルの電圧を検出する場合、フィルタとして機能する複数の抵抗の抵抗値が同じであると、一対のキャパシタを用いる際よりもキャパシタの容量が増加することとなり、キャパシタへの電池セルの電圧の充電に要する時間が長くなるといった問題がある。
【００１１】
そこで、一方のキャパシタを用いて電池セルの電圧を検出する際のキャパシタへの電池セルの電圧の充電に要する時間を短縮させるために、フィルタとして機能する全ての抵抗の抵抗値を低下させることが考えられるが、この場合には、各抵抗のフィルタとしての機能が損なわれてしまうといった背反がある。
【００１２】
なお、このような問題は、３つ以上のキャパシタを用いて電池セルの電圧を検出するように構成されたフライングキャパシタ方式の電池監視装置においても同様に生ずる。
【００１３】
本発明は上記点に鑑みて、組電池の各電池セルの電圧を複数のキャパシタを用いて監視するフライングキャパシタ方式の電圧監視装置において、フィルタ機能の低下を抑制しつつ、キャパシタへの電池セルの電圧の充電に要する時間の短縮化を図ることを目的とする。
【課題を解決するための手段】
【００１４】
上記目的を達成するため、請求項１に記載の発明では、複数の電池セル（Ｖ１〜Ｖ１４）が直列に接続されて構成される組電池（１）の電池セル（Ｖ１〜Ｖ１４）の電圧を監視する電圧監視装置であって、直列に接続された一対のキャパシタ（Ｃ１、Ｃ２）を有するキャパシタ回路（２３）と、複数の電池セル（Ｖ１〜Ｖ１４）それぞれの電極端子に接続された複数の抵抗（Ｒ１〜Ｒ１５）を有するフィルタ回路（２１）と、フィルタ回路（２１）を介して、複数の電池セル（Ｖ１〜Ｖ１４）の電極端子を、一対のキャパシタ（Ｃ１、Ｃ２）同士を接続する接点である接続端（Ａ３）、および一対のキャパシタ回路（Ｃ１、Ｃ２）における接続端（Ａ３）と反対側の独立端（Ａ１、Ａ２）に順次接続して電池セル（Ｖ１〜Ｖ１４）の電圧をキャパシタ（Ｃ１、Ｃ２）に印加する入力側接続切替手段（２２）と、複数の入力端子（Ｂ１〜Ｂ３）を有し、複数の入力端子（Ｂ１〜Ｂ３）間の電位差を検出する電位差検出手段（２５）と、一対のキャパシタ（Ｃ１、Ｃ２）における独立端（Ａ１、Ａ２）、および一対のキャパシタ（Ｃ１、Ｃ２）間の接続端（Ａ３）を、複数の入力端子に接続して一対のキャパシタ（Ｃ１、Ｃ２）のうち、少なくとも１つのキャパシタに蓄えられた蓄電電圧を電位差検出手段（２５）の入力端子（Ｂ１〜Ｂ３）に印加する出力側接続切替手段（２４）と、を備え、複数の抵抗（Ｒ１〜Ｒ１５）のうち、入力側接続切替手段（２２）を介して、一対のキャパシタ（Ｃ１、Ｃ２）間の接続端（Ａ３）に接続される第１の抵抗群を構成する複数の抵抗全ては、一対のキャパシタ（Ｃ１、Ｃ２）における独立端（Ａ１、Ａ２）に接続される第２の抵抗群を構成する各抵抗よりも抵抗値が小さいことを特徴とする。
【００１５】
このように、フィルタ回路（２１）を構成する複数の抵抗（Ｒ１〜Ｒ１５）のうち、複数のキャパシタ（Ｃ１、Ｃ２）間の接続端（Ａ３）に接続される第１の抵抗群の抵抗値を小さくすることで、フィルタ回路（２１）を構成する全ての抵抗（Ｒ１〜Ｒ１５）の抵抗値を小さくする際よりもフィルタ回路（２１）のフィルタ機能の低下を抑制することが可能となる。
【００１６】
これに加えて、複数のキャパシタ（Ｃ１、Ｃ２）のうち、一部のキャパシタへ電池セルの電圧を印加（充電）する際には、複数の抵抗（Ｒ１〜Ｒ１５）のうち、複数のキャパシタ（Ｃ１、Ｃ２）間の接続端（Ａ３）に接続される第１の抵抗群の抵抗値が小さくなる分、キャパシタへの電池セルの電圧の充電に要する時間を短縮させることが可能となる。
【００１８】
なお、この欄および特許請求の範囲で記載した各手段の括弧内の符号は、後述する実施形態に記載の具体的手段との対応関係を示すものである。
【図面の簡単な説明】
【００１９】
【図１】第１実施形態に係る電圧監視装置を含む電池電圧監視システムの全体構成図である。
【図２】第１実施形態に係る電圧監視装置において一対のキャパシタへ電池セルの電圧を印加する際の作動を説明するための説明図である。
【図３】第１実施形態に係る電圧監視装置において一対のキャパシタへ電池セルの電圧を充電する際に要する時間を説明するための説明図である。
【図４】第１実施形態に係る電圧監視装置において一対のキャパシタの一方へ電池セルの電圧を印加する際の作動を説明するための説明図である。
【図５】第１実施形態に係る電圧監視装置において一対のキャパシタの一方へ電池セルの電圧を充電する際に要する時間を説明するための説明図である。
【図６】比較例に係る電圧監視装置において一対のキャパシタの一方へ電池セルの電圧を充電する際に要する時間を説明するための説明図である。
【図７】入力側サンプリングスイッチのショート故障時の課題を説明するための説明図である。
【発明を実施するための形態】
【００２０】
以下、本発明の実施形態について図に基づいて説明する。なお、以下の各実施形態相互において、互いに同一もしくは均等である部分には、図中、同一符号を付してある。
【００２１】
（第１実施形態）
本発明の第１実施形態について図面を用いて説明する。図１は、本実施形態に係る電圧監視装置２を含む電池電圧監視システムの全体構成図である。
【００２２】
本実施形態では、組電池１を構成する車載高圧バッテリに本発明の電圧監視装置２を適用している。この組電池１は、例えば、インバータを介して車両走行用の電動機（走行用モータ）に電力を供給するものである。
【００２３】
図１に示すように、本実施形態の電池電圧監視システムは、主たる要素として、組電池１と電圧監視装置２とを備えている。
【００２４】
組電池１は、充放電の最小単位であるｎ個（本実施形態では１４個）の電池セルＶ１〜Ｖ１４を直列に接続して構成された直列接続体である。なお、電池セルＶ１〜Ｖ１４としては、充放電可能なリチウムイオン電池や鉛蓄電池等が用いられる。
【００２５】
このように構成される組電池１は、各電池セルＶ１〜Ｖ１４の電極端子（正極端子および負極端子）に接続された複数の検出ラインＬ１〜Ｌ１５を介して電圧監視装置２が接続されている。
【００２６】
次に、本実施形態に係る電圧監視装置２について説明する。本実施形態の電圧監視装置２は、直列に接続された一対のキャパシタＣ１、Ｃ２を用いて、組電池１における各電池セルＶ１〜Ｖ１４の電圧を検出する装置（ダブルフライングキャパシタ方式の電圧監視装置）である。
【００２７】
本実施形態の電圧監視装置２は、フィルタ回路２１、入力側接続切替手段を構成する入力側接続切替部２２、キャパシタ回路２３、出力側接続切替手段を構成する出力側接続切替回路２４、電位差検出手段を構成する電位差検出回路２５、ＡＤ変換器２６、図示しないマイクロコンピュータ（以下、マイコンと略称する。）を備えている。
【００２８】
フィルタ回路２１は、フィルタとして機能する抵抗Ｒ１〜Ｒ１５で構成されている。各抵抗Ｒ１〜Ｒ１５は、各検出ラインＬ１〜Ｌ１５を介して電池セルＶ１〜Ｖ１４の電極端子に接続されている。フィルタ回路２１における各抵抗Ｒ１〜Ｒ１５の抵抗値については後述する。
【００２９】
入力側接続切替部２２は、フィルタ回路２１の抵抗Ｒ１〜Ｒ１５を介して、各電池セルＶ１〜Ｖ１４の電極端子を、キャパシタ回路Ｃ１、Ｃ２に設けられた一対のキャパシタＣ１、Ｃ２における独立端Ａ１、Ａ２、および一対のキャパシタＣ１、Ｃ２間の接続端Ａ３に順次接続するスイッチング回路である。この入力側接続切替部２２を作動させることで、各電池セルＶ１〜Ｖ１４の電圧をキャパシタＣ１、Ｃ２に印加（充電）することが可能となっている。
【００３０】
本実施形態の入力側接続切替部２２は、フィルタ回路２１の各抵抗Ｒ１〜Ｒ１５に接続された複数の入力側サンプリングスイッチＳＷ１〜ＳＷ１５を有して構成されている。
【００３１】
具体的には、入力側接続切替部２２を構成する各入力側サンプリングスイッチＳＷ１〜ＳＷ１５のうち、各電池セルＶ１〜Ｖ１４の電極端子を電位の低いものから順に数えたときに、第［４ｍ＋１］番目（ｍ＝０、又は正の整数）の電極端子に接続される入力側サンプリングスイッチＳＷ１、ＳＷ５、ＳＷ９、ＳＷ１３が、第１キャパシタＣ１の独立端Ａ１に接続されている。
【００３２】
また、入力側接続切替部２２を構成する各入力側サンプリングスイッチＳＷ１〜ＳＷ１５のうち、各電池セルＶ１〜Ｖ１４の電極端子を電位の低いものから順に数えたときに、第［４ｍ＋３］番目（ｍ＝０、又は正の整数）の電極端子に接続される入力側サンプリングスイッチＳＷ３、ＳＷ７、ＳＷ１１、ＳＷ１５が、第２キャパシタＣ２の独立端Ａ２に接続されている。
【００３３】
そして、入力側接続切替部２２を構成する各入力側サンプリングスイッチＳＷ１〜ＳＷ１５のうち、各電池セルＶ１〜Ｖ１４の電極端子を電位の低いものから順に数えたときに、第［２ｍ］番目（ｍ＝正の整数）、つまり偶数番目の電極端子に接続される入力側サンプリングスイッチＳＷ２、ＳＷ４、ＳＷ６、ＳＷ８、ＳＷ１０、ＳＷ１２、ＳＷ１４が、各キャパシタＣ２間の接続端Ａ３に接続されている。
【００３４】
これら入力側サンプリングスイッチＳＷ１〜ＳＷ１５は、半導体スイッチであり、マイコンからの指令信号に応じてオンオフが切替制御される。
【００３５】
例えば、電池セルＶ１、Ｖ２の電圧を第１、第２キャパシタＣ１、Ｃ２に充電する際には、入力側接続切替部２２の入力側サンプリングスイッチＳＷ１、ＳＷ２、ＳＷ３を同時にオンして、電池セルＶ１の電極端子を第１キャパシタＣ１の両端（独立端Ａ１、接続端Ａ３）に接続すると共に、電池セルＶ２の電極端子を第２キャパシタＣ２の両端（独立端Ａ２、接続端Ａ３）に接続する。これにより、電池セルＶ１の電圧が第１キャパシタＣ１に充電され、電池セルＶ２の電圧が第２キャパシタＣ２に充電される。
【００３６】
キャパシタ回路２３は、直列に接続された一対のキャパシタＣ１、Ｃ２で構成されている。この一対のキャパシタＣ１、Ｃ２は、静電容量Ｃが等しいものを採用している。なお、キャパシタ回路２３において、一対のキャパシタＣ１、Ｃ２が接続される接点が接続端Ａ３を構成し、各キャパシタＣ１、Ｃ２間の接続端Ａ３と反対側が独立端Ａ１、Ａ２を構成している。
【００３７】
出力側接続切替回路２４は、一対のキャパシタＣ１、Ｃ２における独立端Ａ１、Ａ２、および接続端Ａ３を、電位差検出回路２５に設けられた第１〜第３入力端子Ｂ１〜Ｂ３に接続するスイッチング回路である。この出力側接続切替回路２４を作動させることで、各キャパシタＣ１、Ｃ２のうち、少なくとも一方に充電された蓄電電圧（充電量）を電位差検出回路２５に印加することが可能となっている。
【００３８】
具体的には、出力側接続切替回路２４は、第１キャパシタＣ１の独立端Ａ１および電位差検出回路２５の第１入力端子Ｂ１に接続された第１出力側サンプリングスイッチＳＷ１６と、第２キャパシタＣ２の独立端Ａ２および電位差検出回路２５の第２入力端子Ｂ２に接続された第２出力側サンプリングスイッチＳＷ１７と、各キャパシタＣ１、Ｃ２間の接続端Ａ３および電位差検出回路２５の第３入力端子Ｂ３に接続された第３出力側サンプリングスイッチＳＷ１８と、を有して構成されている。
【００３９】
これら出力側サンプリングスイッチＳＷ１６〜ＳＷ１８は、半導体スイッチであり、マイコンからの指令信号に応じてオンオフが切替制御される。
【００４０】
例えば、第１、第２キャパシタＣ１、Ｃ２に蓄電された蓄電電圧それぞれを電位差検出回路２５に印加する際には、出力側接続切替回路２４の出力側サンプリングスイッチＳＷ１６〜ＳＷ１８をオンして、第１キャパシタＣ１の独立端Ａ１および電位差検出回路２５の第１入力端子Ｂ１を接続すると共に、第２キャパシタＣ２の独立端Ａ２および電位差検出回路２５の第２入力端子Ｂ２を接続し、さらに、第１、第２キャパシタＣ１、Ｃ２間の接続端Ａ３および電位差検出回路２５の第３入力端子Ｂ３を接続する。これにより、各キャパシタＣ１、Ｃ２の蓄電電圧が電位差検出回路２５に印加される。
【００４１】
また、第１キャパシタＣ１に蓄電された蓄電電圧だけを電位差検出回路２５に印加する際には、出力側接続切替回路２４の出力側サンプリングスイッチＳＷ１６、ＳＷ１８をオンして、独立端Ａ１および第１入力端子Ｂ１を接続すると共に、接続端Ａ３および第３入力端子Ｂ３を接続する。これにより、第１キャパシタＣ１の蓄電電圧だけが電位差検出回路２５に印加される。
【００４２】
同様に、第２キャパシタＣ２に蓄電された蓄電電圧だけを電位差検出回路２５に印加する際には、出力側サンプリングスイッチＳＷ１７、ＳＷ１８をオンして、独立端Ａ２および第２入力端子Ｂ２を接続すると共に、接続端Ａ３および第３入力端子Ｂ３を接続する。これにより、第２キャパシタＣ２の蓄電電圧だけが電位差検出回路２５に印加される。
【００４３】
電位差検出回路２５には、出力側接続切替回路２４を介して、第１キャパシタＣ１の独立端Ａ１に接続される第１入力端子Ｂ１、第２キャパシタＣ２の独立端Ａ２に接続される第２入力端子Ｂ２、および各キャパシタＣ１、Ｃ２間の接続端Ａ３に接続される第３入力端子Ｂ３が設けられている。
【００４４】
そして、電位差検出回路２５は、第１入力端子Ｂ１および第３入力端子Ｂ３間の電位差を検出する第１差動電圧検出部２５ａと、第２入力端子Ｂ２および第３入力端子Ｂ３間の電位差を検出する第２差動電圧検出部２５ｂとを有して構成されている。本実施形態の第１差動電圧検出部２５ａは、第１キャパシタＣ１に蓄えられた蓄電電圧を増幅して出力する差動増幅回路で構成され、第２差動電圧検出部２５ｂは、第２キャパシタＣ２に蓄えられた蓄電電圧を増幅して出力する差動増幅回路で構成されている。
【００４５】
ＡＤ変換器（Ａ／Ｄ）２５は、所定のタイミングで電位差検出回路２５から出力された電圧信号（アナログ信号）を読み込み、読み込んだ電圧信号をデジタル信号に変換してマイコン側に出力するものである。
【００４６】
マイコンは、ＣＰＵ、ＲＯＭ、ＥＥＰＲＯＭ、ＲＡＭ等からなるマイクロコンピュータであって、ＲＯＭ等の記憶手段に記憶されたプログラムに従って各種処理を実行する制御手段である。
【００４７】
本実施形態のマイコンは、入力側接続切替部２２を構成する各入力側サンプリングスイッチＳＷ１〜ＳＷ１５、および出力側接続切替回路２４を構成する各出力側サンプリングスイッチＳＷ１６〜ＳＷ１８の作動を制御する。
【００４８】
また、マイコンは、ＡＤ変換器２６から出力されるデジタル信号に基づいて、組電池１を構成する各電池セルＶ１〜Ｖ１４の電圧状態を診断する電圧診断処理や各検出ラインＬ１〜Ｌ１５の断線等の故障を診断する故障診断処理を実行する。
【００４９】
ここで、本実施形態のフィルタ回路２１を構成する各抵抗Ｒ１〜Ｒ１５の抵抗値について説明する。本実施形態では、フィルタ回路２１を構成する各抵抗Ｒ１〜Ｒ１５のうち、入力側接続切替部２２を介して各キャパシタＣ１、Ｃ２間の接続端Ａ３に接続される第１の抵抗群（抵抗Ｒ２、Ｒ４、Ｒ６、Ｒ８、Ｒ１０、Ｒ１２、Ｒ１４）は、入力側接続切替部２２を介して第１、第２キャパシタＣ１、Ｃ２の独立端Ａ１、Ａ２に接続される第２の抵抗群（抵抗Ｒ１、Ｒ３、Ｒ５、Ｒ７、Ｒ９、Ｒ１１、Ｒ１３、Ｒ１５）よりも小さい抵抗値となるように構成されている。
【００５０】
第１の抵抗群は、各電池セルＶ１〜Ｖ１４の電極端子を電位の低いものから順に数えたときに、各抵抗Ｒ１〜Ｒ１５のうち、偶数番目（第［２ｍ］番目：ｍ＝正の整数）の電極端子に接続される抵抗Ｒ２、Ｒ４、Ｒ６、Ｒ８、Ｒ１０、Ｒ１２、Ｒ１４で構成される。
【００５１】
また、第２の抵抗群は、各電池セルＶ１〜Ｖ１４の電極端子を電位の低いものから順に数えたときに、奇数番目（第［２ｍ＋１］番目：ｍ＝０、または正の整数）の電極端子に接続される抵抗Ｒ１、Ｒ３、Ｒ５、Ｒ７、Ｒ９、Ｒ１１、Ｒ１３、Ｒ１５で構成されている。
【００５２】
ここで、フィルタ回路２１におけるフィルタ性能を確保する観点等から、第１の抵抗群を構成する各抵抗Ｒ２、Ｒ４、Ｒ６、Ｒ８、Ｒ１０、Ｒ１２、Ｒ１４の抵抗値Ｒｘは、第２の抵抗群を構成する各抵抗Ｒ１、Ｒ３、Ｒ５、Ｒ７、Ｒ９、Ｒ１１、Ｒ１３、Ｒ１５の抵抗値Ｒｙの半分程度（Ｒｘ≒Ｒｙ／２）とすることが望ましい。
【００５３】
本実施形態では、第１の抵抗群を構成する各抵抗Ｒ２、Ｒ４、Ｒ６、Ｒ８、Ｒ１０、Ｒ１２、Ｒ１４の抵抗値Ｒｘを、第２の抵抗群を構成する各抵抗Ｒ１、Ｒ３、Ｒ５、Ｒ７、Ｒ９、Ｒ１１、Ｒ１３、Ｒ１５の抵抗値Ｒｙの半分（Ｒｘ＝Ｒｙ／２）としている。なお、本実施形態の第２の抵抗群を構成する各抵抗Ｒ１、Ｒ３、Ｒ５、Ｒ７、Ｒ９、Ｒ１１、Ｒ１３、Ｒ１５は、それぞれ抵抗値が等しいものを採用し、第１の抵抗群を構成する各抵抗Ｒ２、Ｒ４、Ｒ６、Ｒ８、Ｒ１０、Ｒ１２、Ｒ１４についても、それぞれ抵抗値が等しいものを採用している。
【００５４】
次に、本実施形態の電圧監視装置２の作動を説明する。本実施形態の電圧監視装置２は、各電池セルＶ１〜Ｖ１４の電圧監視を行う際には一対のキャパシタＣ１、Ｃ２それぞれを用い、電池セルＶ１〜Ｖ１４の故障診断を行う際には一対のキャパシタＣ１、Ｃ２のうち一方を用いるようにしている。
【００５５】
まず、本実施形態に係る電圧監視装置２において、キャパシタ回路２３の一対のキャパシタＣ１、Ｃ２それぞれを用いて各電池セルＶ１〜Ｖ１４の電圧監視を行う場合について説明する。本実施形態では、一対のキャパシタＣ１、Ｃ２それぞれを用いて４つの電池セルＶ１〜Ｖ４の電圧監視を行う場合の具体的な作動例について図２を用いて説明する。なお、本作動例では、電池セルＶ１、Ｖ２→Ｖ３、Ｖ４といったように、低電圧側の電池セルから順に監視する例について説明する。
【００５６】
図２に示すように、マイコンは、入力側接続切替部２２の入力側サンプリングスイッチＳＷ１〜ＳＷ３をオンする。入力側サンプリングスイッチＳＷ１、ＳＷ２がオンすると、第１キャパシタＣ１が、抵抗Ｒ１、Ｒ２を介して電池セルＶ１の電極端子に接続され充電される。これにより、第１キャパシタＣ１の電圧は、電池セルＶ１と同電圧となる。また、入力側サンプリングスイッチＳＷ２、ＳＷ３がオンすると、第２キャパシタＣ２が、抵抗Ｒ２、Ｒ３を介して電池セルＶ２の電極端子に接続され充電される。これにより、第２キャパシタＣ２の電圧は、電池セルＶ２と同電圧となる。
【００５７】
その後、マイコンは、入力側接続切替部２２の入力側サンプリングスイッチＳＷ１〜ＳＷ３をオフすると共に、出力側接続切替回路２４の各出力側サンプリングスイッチＳＷ１６〜ＳＷ１８を所定時間オンする。第１、第３出力側サンプリングスイッチＳＷ１６、ＳＷ１８がオンすると、第１キャパシタＣ１は、電位差検出回路２５の第１入力端子Ｂ１、および第３入力端子Ｂ３を介して第１差動電圧検出部２５ａに接続される。第１差動電圧検出部２５ａは、電池セルＶ１と同電圧となる第１キャパシタＣ１の電圧を増幅してＡＤ変換器２６に出力する。また、第２、第３出力側サンプリングスイッチＳＷ１７、ＳＷ１８がオンすると、第２キャパシタＣ２は、電位差検出回路２５の第２入力端子Ｂ２、および第３入力端子Ｂ３を介して第２差動電圧検出部２５ｂに接続される。第２差動電圧検出部２５ｂは、電池セルＶ２と同電圧となる第２キャパシタＣ２の電圧を増幅してＡＤ変換器２６に出力する。そして、ＡＤ変換器２６は、第１、第２差動電圧検出部２５ａ、２５ｂからの出力信号をデジタル信号に変換してマイコンに出力する。
【００５８】
マイコンでは、ＡＤ変換器２６から出力されたデジタル信号に基づいて、電池セルＶ１、Ｖ２の電圧を検出することで、例えば、電池セルＶ１、Ｖ２の過充放電や劣化等の異常の有無を診断する。
【００５９】
次に、マイコンは、入力側サンプリングスイッチＳＷ４〜ＳＷ６をオンする。これにより、第１キャパシタＣ１は、抵抗Ｒ４、Ｒ５を介して電池セルＶ３の電極端子に接続され充電され、第１キャパシタＣ１の電圧が電池セルＶ３と同電圧となる。また、第２キャパシタＣ２は、抵抗Ｒ５、Ｒ６を介して電池セルＶ４の電極端子に接続され充電され、第２キャパシタＣ２の電圧が電池セルＶ４と同電圧となる。
【００６０】
その後、マイコンは、入力側サンプリングスイッチＳＷ４〜ＳＷ６をオフすると共に、出力側接続切替回路２４の各出力側サンプリングスイッチＳＷ１６〜ＳＷ１８を所定時間オンする。これにより、第１キャパシタＣ１は、電位差検出回路２５の第１差動電圧検出部２５ａに接続され、第２キャパシタＣ２は、電位差検出回路２５の第２差動電圧検出部２５ｂに接続される。そして、各差動電圧検出部２５ａ、２５ｂにて増幅された第１、第２キャパシタＣ１、Ｃ２の電圧がＡＤ変換器２６に出力され、ＡＤ変換器２６にて変換されたデジタル信号がマイコンに出力される。
【００６１】
マイコンでは、ＡＤ変換器２６から出力されたデジタル信号に基づいて、電池セルＶ３、Ｖ４の電圧を検出することで、例えば、電池セルＶ３、Ｖ４の過充放電や劣化等の異常の有無を診断する。
【００６２】
なお、電池セルＶ１〜Ｖ４以外の電池セルＶ５〜Ｖ１４の電圧監視を行う際には、マイコンによって、電池セルＶ５〜Ｖ１４のうち、電圧検出対象とする電池セルの電極端子に接続される入力側サンプリングスイッチ、および出力側接続切替回路２４の各出力側サンプリングスイッチＳＷ１６〜ＳＷ１８をオンオフすることで、電圧検出対象とする電池セルの電圧を示すデジタル信号をマイコン側に出力することができる。
【００６３】
ここで、例えば、隣接する電池セルＶ１、Ｖ２の電圧を各キャパシタＣ１、Ｃ２に充電する際には、入力側接続切替部２２の入力側サンプリングスイッチをオンすると、フィルタ回路２１の抵抗Ｒ１、Ｒ３、およびキャパシタ回路２３の第１、第２キャパシタＣ１、Ｃ２が直列に接続される閉回路が形成され、図２の太点線矢印で示すように電流が流れる。
【００６４】
このように、隣接する電池セルの電圧を各キャパシタＣ１、Ｃ２に充電する際には、一対のキャパシタＣ１、Ｃ２が直列に接続されることから、閉回路内のキャパシタの容量が調和平均となり容量（総容量）が小さくなる。このため、キャパシタへの電池セルの電圧の充電に要する時間が短くなる。つまり、一対のキャパシタＣ１、Ｃ２それぞれを用いて電池セルＶ１、Ｖ２の電圧監視を行う場合において、入力側サンプリングスイッチＳＷ１、ＳＷ２がオンすると、図３に示すように、τ１（＝ＲＣ）の時定数で各キャパシタＣ１、Ｃ２の充電が行われる。この時定数τ１は、図３に示す数式で示すように、第２の抵抗群を構成する抵抗Ｒ１の抵抗値Ｒｙ（＝Ｒ）と第２の抵抗群を構成する抵抗Ｒ３（＝Ｒ）の抵抗値Ｒｙを加算した値（＝Ｒ＋Ｒ＝２Ｒ）に対して、一対のキャパシタＣ１、Ｃ２の容量の調和平均値（＝Ｃ／２）を乗じた値（＝ＲＣ）である。なお、図２の太点線矢印で示したように、第１の抵抗群を構成する抵抗Ｒ２に電流が流れないため、抵抗Ｒ２の抵抗値Ｒｘ（＝Ｒ／２）は時定数τ１に影響しない。
【００６５】
なお、本実施形態では、隣接する電池セルＶ１、Ｖ２の電圧を各キャパシタＣ１、Ｃ２に充電する例を取り上げたが、隣接する電池セルＶ１、Ｖ２以外の隣接する電池セルの電圧を各キャパシタＣ１、Ｃ２に充電する場合も同様に、τ１（＝ＲＣ）の時定数で各キャパシタＣ１、Ｃ２の充電が行われる。
【００６６】
次に、本実施形態に係る電圧監視装置２において、キャパシタ回路２３の一対のキャパシタＣ１、Ｃ２のうち、一方のキャパシタを用いて、各電池セルＶ１〜Ｖ１４の電極端子に接続された検出ラインＬ１〜Ｌ１５の断線検出を行う場合について説明する。本実施形態では、第１キャパシタＣ１を用いて電池セルＶ１の電極端子に接続された検出ラインＬ２の断線検出を行う場合の具体的な作動例について図４を用いて説明する。
【００６７】
図４に示すように、マイコンは、入力側接続切替部２２の入力側サンプリングスイッチＳＷ１、ＳＷ２をオンする。入力側サンプリングスイッチＳＷ１、ＳＷ２がオンすると、第１キャパシタＣ１が、抵抗Ｒ１、Ｒ２を介して電池セルＶ１の電極端子に接続され充電される。これにより、第１キャパシタＣ１の電圧は、電池セルＶ１と同電圧となる。
【００６８】
その後、マイコンは、入力側接続切替部２２の入力側サンプリングスイッチＳＷ１、ＳＷ２をオフすると共に、出力側接続切替回路２４の第１、第３出力側サンプリングスイッチＳＷ１６、ＳＷ１８を所定時間オンする。第１、第３出力側サンプリングスイッチＳＷ１６、ＳＷ１８がオンすると、第１キャパシタＣ１は、電位差検出回路２５の第１入力端子Ｂ１、および第３入力端子Ｂ３を介して第１差動電圧検出部２５ａに接続される。第１差動電圧検出部２５ａは、電池セルＶ１と同電圧となる第１キャパシタＣ１の電圧を増幅してＡＤ変換器２６に出力する。そして、ＡＤ変換器２６は、第１差動電圧検出部２５ａからの出力信号をデジタル信号に変換してマイコンに出力する。
【００６９】
マイコンでは、ＡＤ変換器２６から出力されたデジタル信号に基づいて、電池セルＶ１の電圧を検出し、検出した電池セルＶ１の電圧を予め定めた判定閾値と比較して、電池セルＶ１の電極端子に接続された検出ラインＬ２の断線の有無を診断する。例えば、マイコンでは、電池セルＶ１の電圧が判定閾値より高い場合に正常と診断し、電池セルＶ１の電圧が判定閾値以下となる場合に断線と診断する。
【００７０】
なお、電池セルＶ１以外の電池セルＶ２〜Ｖ１４に接続された検出ラインの断線検出を行う際には、マイコンによって、電池セルＶ２〜Ｖ１４のうち、断線検出対象とする電池セルの電極端子に接続される一対の入力側サンプリングスイッチ、および出力側サンプリングスイッチＳＷ１６〜ＳＷ１８のうち、断線検出対象とする電池セルの電圧が充電されたキャパシタに接続される出力側サンプリングスイッチをオンオフすることで、断線検出対象とする電池セルの電圧を示すデジタル信号をマイコン側に出力することができる。
【００７１】
ここで、電池セルＶ１の電圧を一対のキャパシタＣ１、Ｃ２の一方にだけ充電する際に、入力側接続切替部２２の入力側サンプリングスイッチをオンすると、フィルタ回路２１の抵抗Ｒ１、Ｒ２、およびキャパシタ回路２３の第１キャパシタＣ１が直列に接続される閉回路が形成され、図４の太点線矢印で示すように電流が流れる。
【００７２】
このように、電池セルＶ１の電圧を一対のキャパシタＣ１、Ｃ２の一方にだけ充電する際には、閉回路内のキャパシタの容量が調和平均とならないため容量（総容量）は小さくならない。
【００７３】
ところが、本実施形態では、フィルタ回路２１の各抵抗Ｒ１〜Ｒ１５のうち、各キャパシタＣ１、Ｃ２間の接続端Ａ３に接続される第１の抵抗群を構成する各抵抗の抵抗値Ｒｘを第１、第２キャパシタＣ１、Ｃ２の各独立端Ａ１、Ａ２に接続される第２の抵抗群を構成する各抵抗の抵抗値Ｒｙの半分としている。つまり、第１の抵抗群を構成する抵抗Ｒ２の抵抗値Ｒｘは、第２の抵抗群を構成する抵抗Ｒ１の抵抗値Ｒｙよりも低くなっている。
【００７４】
このため、電池セルＶ１の電圧を一対のキャパシタＣ１、Ｃ２の一方にだけ充電する際に、閉回路内の抵抗値が小さくなり、キャパシタへの電池セルの電圧の充電に要する時間が短くなる。
【００７５】
より具体的には、一対のキャパシタＣ１、Ｃ２のうち一方だけを用いて電池セルＶ１の電圧監視を行う場合において、入力側サンプリングスイッチＳＷ１、ＳＷ２がオンすると、図５に示すように、τ２（＝１．５ＲＣ）の時定数でキャパシタＣ１の充電が行われる。この時定数τ２は、図５の数式で示すように、第２の抵抗群を構成する抵抗Ｒ１の抵抗値Ｒｙ（＝Ｒ）と第１の抵抗群を構成する抵抗Ｒ２の抵抗値Ｒｘ（＝Ｒ／２）を加算した値（＝Ｒ＋Ｒ／２＝１．５Ｒ）に対して、第１キャパシタＣ１の容量（＝Ｃ）を乗じた値（＝１．５ＲＣ）である。
【００７６】
なお、本実施形態では、電池セルＶ１の電圧を第１キャパシタＣ１に充電する例を取り上げたが、一対のキャパシタＣ１、Ｃ２のうち一方だけを用いて、電池セルＶ１以外の電池セルの電圧を対応するキャパシタに充電する場合も同様に、τ２（＝１．５×ＲＣ）の時定数でキャパシタの充電が行われる。
【００７７】
ここで、比較例として、フィルタ回路２１の各抵抗Ｒ１〜Ｒ１５の全てを同じ抵抗値（＝Ｒ）とした場合、図６に示すように、τ３（＝２ＲＣ）の時定数でキャパシタＣ１の充電が行われる。この時定数τ３は、図６の数式で示すように、抵抗Ｒ１の抵抗値（＝Ｒ）と抵抗Ｒ２の抵抗値（＝Ｒ）を加算した値（＝Ｒ＋Ｒ＝２Ｒ）に対して、第１キャパシタＣ１の容量（＝Ｃ）を乗じた値（＝２ＲＣ）である。
【００７８】
以上説明した本実施形態に係る電圧監視装置２では、フィルタ回路２１を構成する複数の抵抗Ｒ１〜Ｒ１５のうち、各キャパシタＣ１、Ｃ２間の接続端Ａ３に接続される第１の抵抗群を構成する各抵抗Ｒ２、Ｒ４、Ｒ６、Ｒ８、Ｒ１０、Ｒ１２、Ｒ１４の抵抗値Ｒｘを、各キャパシタＣ１、Ｃ２の独立端Ａ１、Ａ２に接続される第２の抵抗群を構成する各抵抗Ｒ１、Ｒ３、Ｒ５、Ｒ７、Ｒ９、Ｒ１１、Ｒ１３、Ｒ１５の抵抗値Ｒｙよりも小さくしている。具体的には、第１の抵抗群を構成する各抵抗Ｒ２、Ｒ４、Ｒ６、Ｒ８、Ｒ１０、Ｒ１２、Ｒ１４の抵抗値Ｒｘを、第２の抵抗群を構成する各抵抗Ｒ１、Ｒ３、Ｒ５、Ｒ７、Ｒ９、Ｒ１１、Ｒ１３、Ｒ１５の抵抗値Ｒｙの半分としている（Ｒｘ＝Ｒｙ／２）。
【００７９】
このように、フィルタ回路２１を構成する複数の抵抗Ｒ１〜Ｒ１５のうち、各キャパシタＣ１、Ｃ２間の接続端Ａ３に接続される第１の抵抗群の抵抗値を小さくすることで、全ての抵抗Ｒ１〜Ｒ１５の抵抗値を小さくする際よりも、フィルタ回路２１のフィルタ機能の低下を抑制することができる。
【００８０】
これに加えて、各キャパシタＣ１、Ｃ２のうち一方のキャパシタへ電池セルの電圧を印加（充電）する際には、第１の抵抗群の抵抗値が小さくなる分、キャパシタへの電池セルの電圧の充電に要する時間を短縮させることが可能となる。
【００８１】
従って、ダブルフライングキャパシタ方式の電圧監視装置において、フィルタ機能の低下を抑制しつつ、キャパシタへの電池セルの電圧の充電に要する時間の短縮化を図ることができる。
【００８２】
（第２実施形態）
上述の第１実施形態で説明した電圧監視装置２は、フィルタ機能の低下を抑制しつつ、キャパシタへの電池セルの電圧の充電に要する時間の短縮化を図ることができる点で顕著な効果を奏する。
【００８３】
一方、フライングキャパシタ方式の電圧監視装置２には他の課題もある。すなわち、入力側接続切替部２２を構成する各入力側サンプリングスイッチＳＷ１〜ＳＷ１５の一部にショート故障（短絡故障）が生ずると、各電池セルＶ１〜Ｖ１４の電圧を順番にキャパシタＣ１、Ｃ２に充電する際に、検出ライン同士が短絡して閉回路が構成され、当該閉回路に短絡電流が流れて、組電池１や電圧監視装置２の発煙、発火を招く虞がある。
【００８４】
ここで、図７は、入力側サンプリングスイッチＳＷ１〜ＳＷ１５のショート故障時の課題を説明するための説明図である。なお、図７（ａ）が、入力側サンプリングスイッチＳＷ３がショート故障した際の例を示しており、図７（ｂ）が、入力側サンプリングスイッチＳＷ２がショート故障した際の例を示している。
【００８５】
図７（ａ）に示すように、キャパシタＣ２の独立端Ａ２に接続された入力側サンプリングスイッチＳＷ３、ＳＷ７、ＳＷ１１、ＳＷ１５のうち、入力側サンプリングスイッチＳＷ３にショート故障が生ずると、入力側サンプリングスイッチＳＷ７をオンした際に、図７（ａ）の太実線矢印で示すように短絡電流Ｉ１が流れる。なお、短絡電流Ｉ１は、各電池セルＶ１〜Ｖ１４の電圧を「Ｖ」とし、抵抗Ｒ３、Ｒ７の抵抗値を「Ｒ」としたとき、Ｉ１＝４×Ｖ／（Ｒ＋Ｒ）＝２Ｖ／Ｒとなり、この際の消費電力Ｗ１は、Ｗ１＝（４×Ｖ）２／（Ｒ＋Ｒ）＝８Ｖ２／Ｒとなる。
【００８６】
ここで、入力側サンプリングスイッチＳＷ３にショート故障が生じた場合に、入力側サンプリングスイッチＳＷ１１をオンした場合、閉回路を構成する電池セルの数が多くなるため短絡電流が大きくなる。つまり、上述の短絡電流Ｉ１は、入力側サンプリングスイッチＳＷ３、ＳＷ７、ＳＷ１１、ＳＷ１５のいずれかにショート故障が生じた場合の最小電流となる。
【００８７】
同様に、キャパシタＣ１の独立端Ａ１に接続された入力側サンプリングスイッチＳＷ１、ＳＷ５、ＳＷ９、ＳＷ１３のうち、いずれかにショート故障が生じた場合には、ショート故障が生じていない入力側サンプリングスイッチをオンすると、短絡電流Ｉ１以上の電流が流れることとなる。
【００８８】
一方、図７（ｂ）に示すように、各キャパシタＣ１、Ｃ２間の接続端Ａ３に接続された入力側サンプリングスイッチＳＷ２、ＳＷ４、ＳＷ６、ＳＷ８、ＳＷ１０、ＳＷ１２、ＳＷ１４のうち、入力側サンプリングスイッチＳＷ２にショート故障が生ずると、入力側サンプリングスイッチＳＷ４をオンした際に、図７（ｂ）の太実線矢印で示すように短絡電流Ｉ２が流れる。なお、短絡電流Ｉ２は、各電池セルＶ１〜Ｖ１４の電圧を「Ｖ」とし、抵抗Ｒ２、Ｒ４の抵抗値を「Ｒ／２」としたとき、Ｉ１＝２×Ｖ／（Ｒ／２＋Ｒ／２）＝２Ｖ／Ｒとなり、この際の消費電力Ｗ２は、Ｗ２＝（２×Ｖ）２／（Ｒ／２＋Ｒ／２）＝４Ｖ２／Ｒとなる。つまり、短絡電流Ｉ２は、短絡電流Ｉ１と同じ電流値となる。なお、短絡電流Ｉ１は、入力側サンプリングスイッチＳＷ２、ＳＷ４、ＳＷ６、ＳＷ８、ＳＷ１０、ＳＷ１２、ＳＷ１４のいずれかにショート故障が生じた場合の最小電流となる。
【００８９】
第２実施形態では、上述の課題を解決するために、フィルタ回路２１の各抵抗Ｒ１〜Ｒ１５と各電池セルＶ１〜Ｖ１４との間、又は、フィルタ回路２１の各抵抗Ｒ１〜Ｒ１５と入力側接続切替部２２の各入力側サンプリングスイッチＳＷ１〜ＳＷ１５との間に、短絡電流が生じた際に断線する保護素子を接続している。
【００９０】
この保護素子は、上述した短絡電流Ｉ１（＝短絡電流Ｉ２）以上の電流が流れた際に断線する素子で構成されている。具体的には、保護素子として、ヒューズ等のショート故障時にオープンとなる素子が好適である。なお、本実施形態では、第１実施形態と同様に、フィルタ回路２１における第２の抵抗群それぞれの抵抗値を同一とし、第１の抵抗群それぞれの抵抗値を第２の抵抗群の抵抗値の半分としている。
【００９１】
以上説明した本実施形態によれば、フィルタ回路２１の各抵抗Ｒ１〜Ｒ１５と各電池セルＶ１〜Ｖ１４との間、又は、フィルタ回路２１の各抵抗Ｒ１〜Ｒ１５と入力側接続切替部２２の各入力側サンプリングスイッチＳＷ１〜ＳＷ１５との間に、短絡電流が生じた際に断線する保護素子を接続しているので、入力側接続切替部２２を構成する各入力側サンプリングスイッチＳＷ１〜ＳＷ１５の一部にショート故障（短絡故障）が生じた場合、当該保護素子が断線するので、組電池１や電圧監視装置２の発煙、発火を防止することができる。
【００９２】
また、本実施形態では、フィルタ回路２１の各抵抗Ｒ１〜Ｒ１５のうち、第２の抵抗群の抵抗値それぞれを同一とし、第１の抵抗群それぞれの抵抗値を第２の抵抗群の抵抗値の半分としている。
【００９３】
これによれば、入力側接続切替部２２を構成する各入力側サンプリングスイッチＳＷ１〜ＳＷ１５の一部にショート故障（短絡故障）が生じた際に流れる短絡電流の最小の電流値が同じとなるので、各保護素子を、同じ短絡電流が流れた際に断線する素子で構成することが可能となる。
【００９４】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。例えば、以下のように種々変形可能である。
【００９５】
（１）上述の各実施形態の如く、フィルタ回路２１のフィルタ機能を確保する観点では、各キャパシタＣ１、Ｃ２間の接続端Ａ３に接続される第１の抵抗群の抵抗値Ｒｘを、各キャパシタＣ１、Ｃ２の独立端Ａ１、Ａ２に接続される第２の抵抗群の抵抗値Ｒｙの半分程度（Ｒｘ≒Ｒｙ／２）とすることが望ましいが、これに限定されない。
【００９６】
各キャパシタＣ１、Ｃ２間の接続端Ａ３に接続される第１の抵抗群が各キャパシタＣ１、Ｃ２の独立端Ａ１、Ａ２に接続される第２の抵抗群よりも抵抗値が小さければ、第１の抵抗群の抵抗値を任意に設定してもよい。この際、第１の抵抗群の抵抗値を全て同じ抵抗値とせず、異なる抵抗値としてもよい。
【００９７】
（２）上述の各実施形態では、電池セルＶ１〜Ｖ１４の断線故障を診断する際に、一対のキャパシタＣ１、Ｃ２のうち一方を用いて電池セルの電圧を監視する構成としているが、これに限らず、例えば、組電池１を構成する電池セルの数が奇数個である場合に、端数となる電池セルの電圧を一対のキャパシタＣ１、Ｃ２のうち一方を用いて監視するようにしてもよい。
【００９８】
（３）上述の各実施形態では、電池セルＶ１〜Ｖ１４の断線故障を診断する際に、断線検出対象とする電池セルの電圧を一対のキャパシタＣ１、Ｃ２の一方に充電された後、出力側サンプリングスイッチＳＷ１６〜ＳＷ１８のうち、断線検出対象とする電池セルの電圧が充電されたキャパシタに接続される出力側サンプリングスイッチをオンする例を説明したが、これに限らず、出力側サンプリングスイッチＳＷ１６〜ＳＷ１８の全てをオンするようにしてもよい。
【００９９】
（４）上述の各実施形態では、具体例として１４個の電池セルを直列に接続して構成される組電池１に電圧監視装置２を適用する例について説明したが、電圧監視装置２の適用対象は、組電池１を構成する電池セルの個数に制限されない。
【０１００】
（５）上述の第２実施形態では、フィルタ回路２１の各抵抗Ｒ１〜Ｒ１５と各電池セルＶ１〜Ｖ１４との間、又は、フィルタ回路２１の各抵抗Ｒ１〜Ｒ１５と入力側接続切替部２２の各入力側サンプリングスイッチＳＷ１〜ＳＷ１５との間に、短絡電流が生じた際に断線する保護素子を接続する例を説明したが、これに限定されない。
【０１０１】
例えば、フィルタ回路２１の各抵抗Ｒ１〜Ｒ１５を、短絡電流が生じた際に断線する抵抗素子（例えば、チップ抵抗、ダイオード）で構成し、フィルタ回路２１の各抵抗Ｒ１〜Ｒ１５を、ショート故障時の保護素子と機能させてもよい。これによれば、入力側接続切替部２２を構成する各入力側サンプリングスイッチＳＷ１〜ＳＷ１５の一部にショート故障（短絡故障）が生じた場合、抵抗素子が断線するので、組電池１や電圧監視装置２の発煙、発火を防止することができる。また、フィルタ回路２１の各抵抗Ｒ１〜Ｒ１５を、ショート故障時の保護素子と機能させるので、部品点数を増加させることなく組電池１や電圧監視装置２の発煙、発火を防止することが可能となる。
【０１０２】
（６）上述の各実施形態のように、電圧監視装置２として一対のキャパシタＣ１、Ｃ２を用いて各電池セルＶ１〜Ｖ１４の電圧を監視する構成が好ましいが、これに限定されず、電圧監視装置２を３つ以上のキャパシタを用いて、各電池セルＶ１〜Ｖ１４の電圧を監視する構成としてもよい。このような構成としても、各キャパシタ間の接続端に接続される抵抗（第１の抵抗群）が各キャパシタにおける独立端に接続される抵抗（第２の抵抗群）よりも抵抗値が小さければ、上述の実施形態と同様の作用効果を得ることが可能である。
【０１０３】
（７）上述の各実施形態では、電圧監視装置２を車載高圧バッテリに適用する例について説明したが、車載高圧バッテリに限らず、他のバッテリに適用してもよい。
【符号の説明】
【０１０４】
１            組電池
２            電圧監視装置
２１          フィルタ回路
２２          入力側接続切替部（入力側接続切替手段）
２３          キャパシタ回路
２４          出力側接続切替回路（出力側接続切替手段）
２５          電位差検出回路（電位差検出手段）
Ｖ１〜Ｖ１４  電池セル
Ｃ１          第１キャパシタ
Ｃ２          第２キャパシタ
Ｒ１〜Ｒ１５  抵抗
【図１】
0005691950.tif 000002
【図２】
0005691950.tif 000003
【図３】
0005691950.tif 000004
【図４】
0005691950.tif 000005
【図５】
0005691950.tif 000006
【図６】
0005691950.tif 000007
【図７】
0005691950.tif 000008